(57)【要約】【課題】本発明は、セキュリティがより向上した情報コード読み取り装置及びそのシステム、並びに媒体の真贋判定方法を提供する。【解決手段】媒体の基材上の情報コード読み取り部分に形成された情報コードを光学的に読み取る情報コード読み取り装置であって、第１及び第２の光を照射する光源部と、明色部を反射した第１及び第２の反射光を受光して、画像データ信号を出力する受光部と、画像データ信号から情報コードの解読処理を実行する制御部と、を備え、制御部は、第１の反射光から第１の反射率を測定して第１の閾値以上であるかどうかを判定し、第１の閾値以上であると判定された場合、第２の反射光の第２の反射率を測定して第２の閾値以下であるかどうかを判定し、第２の閾値以下であると判定された場合、情報コードは本物であると判定することを特徴とする。【選択図】図１
2018060331.tif 000002
【特許請求の範囲】
【請求項１】
媒体の基材上の情報コード読み取り部分に形成された情報コードを光学的に読み取るための情報コード読み取り装置であって、前記情報コード読み取り部分は、前記情報コードが形成されており光が入射すると暗色の反射特性を示す暗色部と、前記情報コードが形成されておらず光が入射すると明色の反射特性を示す明色部とを含み、前記情報コード読み取り装置は、
第１波長帯の波長を有する第１の光及び第２波長帯の波長を有する第２の光を照射する光源部と、
前記媒体の前記情報コード読み取り部分の前記明色部を反射した前記第１の光の第１の反射光及び前記第２の光の第２の反射光を受光して、画像データ信号を出力する受光部と、
前記受光部から出力された前記画像データ信号から前記情報コードの解読処理を実行する制御部と、
を備え、
前記制御部は、
前記受光した第１の反射光から第１の反射率を測定し、当該測定した第１の反射率が第１の閾値以上であるかどうかを判定し、
前記第１の反射率が前記第１の閾値以上であると判定された場合、前記受光した第２の反射光の第２の反射率を測定し、当該測定した第２の反射率が第２の閾値以下であるかどうかを判定し、
前記第２の反射率が前記第２の閾値以下であると判定された場合、前記情報コードは本物であると判定することを特徴とする情報コード読み取り装置。
【請求項２】
前記第１波長帯は８５０ｎｍ〜９４０ｎｍの波長帯であり、前記第２波長帯は７５０ｎｍ〜８３０ｎｍの波長帯であることを特徴とする請求項１に記載の情報コード読み取り装置。
【請求項３】
前記第１の閾値は７０％であり、前記第２の閾値は２０〜４０％であることを特徴とする請求項１又は２に記載の情報コード読み取り装置。
【請求項４】
前記制御部は、前記解読処理において前記情報コードを読み取れるか否かをさらに判定することを特徴とする請求項１乃至３のいずれかに記載の情報コード読み取り装置。
【請求項５】
前記制御部は、前記解読した情報コードのコードデータが、前記情報コードがセキュリティ対応していることを示すセキュリティ情報を有するか否かをさらに判定することを特徴とする請求項１乃至４のいずれかに記載の情報コード読み取り装置。
【請求項６】
請求項１乃至５のいずれかに記載の情報コード読み取り装置と、
前記媒体と、
を備えた情報コード読み取りシステムであって、
前記情報コードは、前記媒体上で、前記第１波長帯の前記第１の光を吸収して暗色の反射特性を示す隠蔽インキであって、前記第２波長帯の前記第２の光を透過する隠蔽インキで覆われていることを特徴とする情報コード読み取りシステム。
【請求項７】
前記隠蔽インキは、ＩＲブラックインキであることを特徴とする請求項６に記載の情報コード読み取りシステム。
【請求項８】
基材上の情報コード読み取り部分に情報コードが形成された媒体の真贋を判定する方法であって、前記情報コード読み取り部分は、前記情報コードが形成されており光が入射すると暗色の反射特性を示す暗色部と、前記情報コードが形成されておらず光が入射すると明色の反射特性を示す明色部とを含み、前記方法は、
前記情報コードを光学的に読み取るための情報コード読み取り装置の光源部が、第１波長帯の波長を有する第１の光及び第２波長帯の波長を有する第２の光を照射するステップと、
前記情報コード読み取り装置の受光部が、前記媒体の前記情報コード読み取り部分の前記明色部を反射した前記第１の光の第１の反射光及び前記第２の光の第２の反射光を受光するステップと、
前記情報コード読み取り装置の制御部が、前記受光した第１の反射光から第１の反射率を測定し、当該測定した第１の反射率が第１の閾値以上であるかどうかを判定するステップと、
前記制御部が、前記第１の反射率が前記第１の閾値以上であると判定された場合、前記受光した第２の反射光の第２の反射率を測定し、当該測定した第２の反射率が第２の閾値以下であるかどうかを判定するステップと、
前記制御部が、前記第２の反射率が前記第２の閾値以下であると判定された場合、前記媒体は本物であると判定するステップと、
を含むことを特徴とする方法。
【請求項９】
前記情報コードは、前記媒体上で、前記第１波長帯の前記第１の光を吸収して暗色の反射特性を示す隠蔽インキであって、前記第２波長帯の前記第２の光を透過する隠蔽インキで覆われていることを特徴とする請求項８に記載の方法。
【請求項１０】
前記第１波長帯は８５０ｎｍ〜９４０ｎｍの波長帯であり、前記第２波長帯は７５０ｎｍ〜８３０ｎｍの波長帯であることを特徴とする請求項８又は９に記載の方法。
【請求項１１】
前記第１の閾値は７０％であり、前記第２の閾値は２０〜４０％であることを特徴とする請求項８乃至１０のいずれかに記載の方法。
【発明の詳細な説明】
【技術分野】
【０００１】
本発明は、情報コード読み取り装置及びそのシステム、並びに媒体の真贋判定方法に関する。
【背景技術】
【０００２】
チケット、入場券、商品券やギフト券等においては、カラーコピー等により偽造券を製造することが可能なため、偽造防止のため、従来からホログラムや回折格子シール等を貼り付けるなどの偽造対策が施されている。これらは人の目によって、すなわち可視光で真正な券であるか偽造券であるかその真贋を判別することを前提とする偽造対策である。
【０００３】
一方、商品券、宝くじ、定期券等の証券類に記載される情報コードを機械により読み取る場合における偽造対策として、これらの証券類における非可視の例えば近赤外線領域の光を反射する基材を用いてその基材面に、近赤外線領域の光を吸収するインキやカーボンブラック等を含む黒色インキを印刷・塗布してバーコードやＯＣＲ文字等の機械読み取り可能なコードマークを形成するものが知られている（例えば、特許文献１参照）。
【先行技術文献】
【特許文献】
【０００４】
【特許文献１】特開２０００−３０９７３６号公報
【特許文献２】特許第５９２００４８号公報
【発明の概要】
【発明が解決しようとする課題】
【０００５】
しかし、人の目によって真贋を判別する方法では、近年性能向上が著しいカラーコピー機を用いて複写し、開催日時や座席番号を改ざんしてチケットを偽造した場合には、真正なチケットか偽造したチケットかを一目で判別することは容易ではなく、多数の入場者や購入者が短時間に集中することもあって、偽造チケットを判別して排除することが困難であるという不都合がある。また、近年、ホログラム等の複製も可能となったため、素人には本物のホログラムかどうか、目視で判別することは相当に困難である。さらに、カーボンブラック等を用いてコードマークを形成する方法では、カラーコピーでも簡単に複製可能となってしまうため、これもセキュリティが低かった。
【０００６】
更に、近年では、情報コードのセキュリティ向上のニーズから、特定の条件を満たした場合にのみ情報コードを読み取り可能とする偽造対策も知られている。例えば、特許文献２に記載の方法では、可視域波長の光は透過しないが赤外域の波長の光を透過するＩＲブラックインキ等によって情報コードを覆った媒体を用い、最初に可視域波長の光を照射してＩＲブラックインキにより透過されずに情報コードが読み込むことができないことを確認してから、赤外域の波長の光を照射してＩＲブラックインキを透過させて情報コードを読み込む２ステップのロジックを採用している。しかしながら、特許文献２に記載の方法の場合、単に赤外光を透過するインキであれば読み込み可能となるロジックのため、セキュリティレベルとしては高いものではない。
【０００７】
本発明は、上記課題を鑑みてなされたものであり、その目的は、セキュリティがより向上した情報コード読み取り装置及びそのシステム、並びに媒体の真贋判定方法を実現することにある。
【課題を解決するための手段】
【０００８】
上記課題を解決するために、本発明の一実施形態に係る情報コード読み取り装置は、媒体の基材上の情報コード読み取り部分に形成された情報コードを光学的に読み取るための情報コード読み取り装置であって、前記情報コード読み取り部分は、前記情報コードが形成されており光が入射すると暗色の反射特性を示す暗色部と、前記情報コードが形成されておらず光が入射すると明色の反射特性を示す明色部とを含み、前記情報コード読み取り装置は、第１波長帯の波長を有する第１の光及び第２波長帯の波長を有する第２の光を照射する光源部と、前記媒体の前記情報コード読み取り部分の前記明色部を反射した前記第１の光の第１の反射光及び前記第２の光の第２の反射光を受光して、画像データ信号を出力する受光部と、前記受光部から出力された前記画像データ信号から前記情報コードの解読処理を実行する制御部と、を備え、前記制御部は、前記受光した第１の反射光から第１の反射率を測定し、当該測定した第１の反射率が第１の閾値以上であるかどうかを判定し、前記第１の反射率が前記第１の閾値以上であると判定された場合、前記受光した第２の反射光の第２の反射率を測定し、当該測定した第２の反射率が第２の閾値以下であるかどうかを判定し、前記第２の反射率が前記第２の閾値以下であると判定された場合、前記情報コードは本物であると判定することを特徴とする。
【０００９】
本発明の他の実施形態に係る情報コード読み取り装置では、前記第１波長帯は８５０ｎｍ〜９４０ｎｍの波長帯であり、前記第２波長帯は７５０ｎｍ〜８３０ｎｍの波長帯であることを特徴とする。
【００１０】
本発明のさらに他の実施形態に係る情報コード読み取り装置では、前記第１の閾値は７０％であり、前記第２の閾値は２０〜４０％であることを特徴とする。
【００１１】
本発明のさらに他の実施形態に係る情報コード読み取り装置では、前記制御部は、前記解読処理において前記情報コードを読み取れるか否かをさらに判定することを特徴とする。
【００１２】
本発明のさらに他の実施形態に係る情報コード読み取り装置では、前記制御部は、前記解読した情報コードのコードデータが、前記情報コードがセキュリティ対応していることを示すセキュリティ情報を有するか否かをさらに判定することを特徴とする。
【００１３】
本発明の一実施形態に係る情報コード読み取りシステムは、請求項１乃至５のいずれかに記載の情報コード読み取り装置と、前記媒体と、を備えた情報コード読み取りシステムであって、前記情報コードは、前記媒体上で、前記第１波長帯の前記第１の光を吸収して暗色の反射特性を示す隠蔽インキであって、前記第２波長帯の前記第２の光を透過する隠蔽インキで覆われていることを特徴とする。
【００１４】
本発明の他の実施形態に係る情報コード読み取りシステムでは、前記隠蔽インキは、ＩＲブラックインキであることを特徴とする。
【００１５】
本発明の一実施形態に係る方法は、基材上の情報コード読み取り部分に情報コードが形成された媒体の真贋を判定する方法であって、前記情報コード読み取り部分は、前記情報コードが形成されており光が入射すると暗色の反射特性を示す暗色部と、前記情報コードが形成されておらず光が入射すると明色の反射特性を示す明色部とを含み、前記方法は、前記情報コードを光学的に読み取るための情報コード読み取り装置の光源部が、第１波長帯の波長を有する第１の光及び第２波長帯の波長を有する第２の光を照射するステップと、前記情報コード読み取り装置の受光部が、前記媒体の前記情報コード読み取り部分の前記明色部を反射した前記第１の光の第１の反射光及び前記第２の光の第２の反射光を受光するステップと、前記情報コード読み取り装置の制御部が、前記受光した第１の反射光から第１の反射率を測定し、当該測定した第１の反射率が第１の閾値以上であるかどうかを判定するステップと、前記制御部が、前記第１の反射率が前記第１の閾値以上であると判定された場合、前記受光した第２の反射光の第２の反射率を測定し、当該測定した第２の反射率が第２の閾値以下であるかどうかを判定するステップと、前記制御部が、前記第２の反射率が前記第２の閾値以下であると判定された場合、前記媒体は本物であると判定するステップと、を含むことを特徴とする。
【００１６】
本発明の他の実施形態に係る方法では、前記情報コードは、前記媒体上で、前記第１波長帯の前記第１の光を吸収して暗色の反射特性を示す隠蔽インキであって、前記第２波長帯の前記第２の光を透過する隠蔽インキで覆われていることを特徴とする。
【００１７】
本発明のさらに他の実施形態に係る方法では、前記第１波長帯は８５０ｎｍ〜９４０ｎｍの波長帯であり、前記第２波長帯は７５０ｎｍ〜８３０ｎｍの波長帯であることを特徴とする。
【００１８】
本発明のさらに他の実施形態に係る方法では、前記第１の閾値は７０％であり、前記第２の閾値は２０〜４０％であることを特徴とする。
【発明の効果】
【００１９】
本発明によると、セキュリティがより向上した情報コード読み取り装置及びそのシステム、並びに媒体の真贋判定方法を提供することが可能となる。
【図面の簡単な説明】
【００２０】
【図１】本発明に係る情報コード読み取りシステムの概略図である。
【図２】本発明に係る情報コード読み取り装置１２０における制御部１２２のセキュリティ判定処理を説明するためのフロー図である。
【図３】本発明に係る情報コード読み取り装置１２０におけるセキュリティ判定の具体的な処理を説明する図である。
【発明を実施するための形態】
【００２１】
図１は、本発明に係る情報コード読み取りシステムの概略図である。図１には、例えばチケットや商品券などの読み取り対象である媒体１１０と、媒体１１０に付された情報コード１１２を光学的に読み取り可能な情報コード読み取り装置１２０と、を備えた情報コード読み取りシステム１００が示されている。
【００２２】
図１に示されるように、媒体１１０は、非可視の例えば近赤外線領域の光を反射する基材１１１と、基材１１１上の情報コード読み取り部分に形成された情報コード１１２と、情報コード１１２を覆うように基材１１１及び情報コード１１２上に形成された隠蔽インキ１１３とを備える。情報コード１１２及び隠蔽インキ１１３は、印刷や熱転写等により形成されている。情報コード読み取り部分は、情報コード１１２が形成されており光が入射すると暗色の反射特性を示す暗色部と、情報コード１１２が形成されておらず光が入射すると明色の反射特性を示す明色部とを含み、隠蔽インキ１１３により覆われている。
【００２３】
基材１１１は、紙、ＰＶＣ、ＰＥＴ、ＰＣ、発泡ＰＰ等、可視光及び赤外光に対して充分に反射率が高い材料で構成することができる。基材１１１の厚みは５０〜３００μｍ、好ましくは１００μｍ程度とすることができる。
【００２４】
情報コード１１２は、２次元バーコードやＱＲコード（登録商標）等とすることができる。また、情報コード１１２は、情報コード１１２がセキュリティ対応していることを示すセキュリティ情報を有する。情報コード１１２を形成するインキとしては、赤外線吸収性印刷で、近赤外線を吸収するカーボンブラック等を含むインキ、いわゆる黒色インキや特許文献１に記載のインキを用いることができる。
【００２５】
隠蔽インキ１１３は、赤外領域の光を透過する一方で、可視域の光を吸収して暗色の反射特性を示す。隠蔽インキ１１３で情報コード１１２を覆うことにより、可視域の光を照射した場合には隠蔽インキ１１３が第１波長帯の光を吸収して情報コード１１２を黒く覆い隠すようにするが、赤外域の光を照射した場合には赤外域の光が隠蔽インキ１１３を透過するため、その下側の情報コード１１２を認識可能となる。隠蔽インキ１１３としては、例えばＩＲブラックインキを使用することができる。隠蔽インキ１１３の厚みは、例えば１〜６μｍ、好ましくは２〜４μｍとすることができる。
【００２６】
また、図１に示されるように、情報コード読み取り装置１２０は、光源部１２１と、受光部１２２と、ＣＰＵ等からなる制御部１２３と、メモリ等からなる記憶部１２４と、を備える。
【００２７】
光源部１２１は、後述する真贋判定を行うために、第１波長（例えば赤外域に属する８５０ｎｍ〜９４０ｎｍ）を有する情報コード認識用の光（以下、第１の光という）と第２波長（例えば近赤外から可視域に属する７５０ｎｍ〜８３０ｎｍ）を有するセキュリティ判定用の光（以下、第２の光という）とを照射する１つ又は複数のＬＥＤにより構成することができる。
【００２８】
受光部１２２は、読み取り対象の媒体に向けて照射されて当該媒体の情報コード読み取り部分の明色部を反射した第１の光及び第２の光の各反射光を受光し、受光した反射光から情報コード１１２の画像データ信号を生成して制御部１１２に出力することができる。受光部１２２は、例えばＣ−ＭＯＳやＣＣＤ等の１つ又は複数の受光センサを備えて構成することができる。
【００２９】
制御部１２３は、例えばＣＰＵ等とすることができ、読み取り処理を実行することにより、受光部１２２から出力された画像データ信号から情報コード１１２の解読処理を実行する。また、制御部１２３は、後述のセキュリティ判定処理を実行することにより、情報コードの真贋を判定することができる。
【００３０】
記憶部１２４は、各処理を実行するためのプログラムを格納したプログラム格納領域と、各種データを格納するデータ格納領域とを有する。さらに、情報コード読み取り装置１２０は、液晶表示画面等の表示部や各種キーを含む入力操作部などを備えることもできる。
【００３１】
以下、図２を用いて本発明に係る情報コード読み取り装置１２０における制御部１２２のセキュリティ判定処理を説明する。本発明では、情報コードを隠蔽する隠蔽インキの分光特性と、一般に入手可能で偽造に利用される可能性があるインキの分光特性との違いを利用し、インキ部分についての反射率に差が出るような少なくとも２つの波長の光を媒体に照射することで、セキュリティ判定処理を行う。
【００３２】
本発明に係る情報コード読み取り装置１２０では、所定の操作をすると、制御部１２３において読み取り対象の媒体の真贋判定処理が開始される。まず、ステップ２０１で、第１の光を読み取り対象の媒体に照射し、読み取り対象の媒体の情報コードを読み取れるかどうかを判定する。
【００３３】
ステップ２０１で情報コードを読み取れた場合には、ステップ２０２で、読み取った情報コードのコードデータがセキュリティ情報を含むか否かを判定する。このとき、読み取り対象の媒体の情報コード読み取り部分に隠蔽インキ等が施されている場合であっても、赤外域の第１の光はインキを透過するため、その下の情報コードを読み取ることが可能である。一方、例えばレーザプリンタやマジック等による偽造の隠蔽インキが施されていて第１の光が偽造の隠蔽インキを透過しなかった等、ステップ２０１で情報コードを読み取れない場合は、読み取り対象の媒体は偽造品であると判定される。
【００３４】
ステップ２０２でセキュリティ情報を有さないことが確認された場合、読み取り対象の媒体は偽造品であると判定される。ステップ２０２でセキュリティ情報を有することが確認された場合、ステップ２０３で、セキュリティ判定を開始する。
【００３５】
セキュリティ判定ではまず、ステップ２０４で、第１の光が読み取り対象の媒体の情報コード読み取り部分の明色部で反射したときの第１の反射率を測定し、測定した第１の反射率が第１の閾値以上であるかどうかを判定する。ここで、第１の閾値は例えば７０％程度とすることができる。
【００３６】
ステップ２０４において第１の反射率が第１の閾値以上ではないと判定された場合、読み取り対象の媒体は偽造品であると判定される。一方で、ステップ２０４において第１の反射率が第１の閾値以上であると判定された場合、すなわち第１の光を照射したときの隠蔽濃度が十分に薄い場合、ステップ２０５で、第２の光を読み取り対象の媒体に照射し、第２の光が読み取り対象の媒体の情報コード読み取り部分の明色部を反射したときの第２の反射率を測定し、測定した第２の反射率が第２の閾値以下であるかどうかを判定する。ここで、第２の閾値は２０〜４０％とすることができ、好ましくは３０％程度とすることができる。
【００３７】
ステップ２０５において第２の反射率が第２の閾値以下ではないと判定された場合には、読み取り対象の媒体は偽造品であると判定される。一方で、ステップ２０５において第２の反射率が第２の閾値以下であると判定された場合、すなわち第２の光を照射したときの隠蔽濃度が十分に濃い場合、読み取り対象の媒体は本物であると判定して、セキュリティ判定を終了する。
【００３８】
図３を用いて、本発明に係る情報コード読み取り装置１２０におけるセキュリティ判定の具体的な処理を説明する。図３（ａ）は、インキ等における反射率と波長の関係を示し、図３（ｂ）は読み取り対象の媒体が、本物である場合（隠蔽インキとしてＩＲブラックインキを使用）、混色墨や染料インキを用いた偽造品である場合（偽造（１））、隠蔽がない偽造品である場合（偽造（２））、レーザプリンタやマジック等による隠蔽である場合（偽造（３））における、媒体の読み取り部分の見え方を示している。
【００３９】
読み取り対象の媒体が本物である場合、図３（ａ）に示されるように、第１の光に対する第１の反射率は第１の閾値以上であり、第２の光に対する第２の反射率は第２の閾値以下であって、図３（ｂ）に示されるように、第１の光の照射時は隠蔽インキを透過し、第２の光の照射時は情報コードが隠蔽インキにより覆い隠されている。
【００４０】
一方で、読み取り対象の媒体が偽造（１）及び偽造（２）の場合、図３（ａ）に示されるように、第１の反射率は第１の閾値以上であるが、第２の反射率は第２の閾値以下ではなく、図３（ｂ）に示されるように第２の光を照射したときの隠蔽が薄いため、偽造品であると判定される。また、読み取り対象の媒体が偽造（３）の場合、第１の反射率が第１の閾値以上でなく、さらに第２の反射率も第２の閾値以下ではなく、図３（ｂ）に示されるように第１の光と第２の光を照射したときの隠蔽濃度に差がないため、偽造品であると判定される。
【００４１】
ここで、図３（ａ）に示されるように、ＩＲブラックインキは、照射光の波長が可視域と赤外域の境界付近になると反射率が上昇し出すだめ、隠蔽インキ１１３としてＩＲブラックインキを使用した場合、第２の光の波長を可視域と赤外域の境界付近の７５０ｎｍ〜８３０ｎｍとすることにより、より複雑な読み取りロジックが可能となる。
【００４２】
上記では、第１の反射率が第１の閾値以上であるかどうかを判定した後に第２の反射率が第２の閾値以下であるかどうかを判定しているが、逆にしてもよく、またこれらを同時に判定してもよい。
【００４３】
以上のように、本発明によると、波長の異なる少なくとも２つの光に対する反射率の違いに基づいて真贋判定を行うことによって、セキュリティの高い情報コード読み取装置及びそのシステム、並びに媒体の真贋判定方法を実現することが可能となる。
【図１】
2018060331.tif 000003
【図２】
2018060331.tif 000004
【図３】
2018060331.tif 000005